(57)【要約】【課題】蓋本体や外容器に外装された外装体を、その蓋本体や外容器から容易に取り外すことができ、外装体と蓋本体や外容器とを容易に分別することができる蓋付き容器を提供することを目的とする。【解決手段】内容物を収容する容器２と、容器２の口部５０ａに装着された蓋体３と、を備える蓋付き容器１であって、蓋体３には、有頂筒状の蓋用外装体７と、蓋用外装体７の内側に嵌合されていると共に口部５０ａに装着された有頂筒状の蓋本体８と、蓋本体８の内側に着脱可能に嵌合されて蓋本体８の天壁部８０と口部５０ａの端面との間に介在され、天壁部８０の下面を覆うパッキン９と、が備えられ、天壁部８０には、一部が天壁部８０に固定された引き下げ可能な蓋用引張部８６が設けられている。【選択図】図１
2010083542.tif 000002
【特許請求の範囲】
【請求項１】
内容物を収容する容器と、該容器の口部に装着された蓋体と、を備える蓋付き容器であって、
前記蓋体には、有頂筒状の蓋用外装体と、該蓋用外装体の内側に嵌合されていると共に前記口部に装着された有頂筒状の蓋本体と、該蓋本体の内側に着脱可能に嵌合されて該蓋本体の天壁部と前記口部の端面との間に介在され、少なくとも前記天壁部の下面を覆うパッキンと、が備えられ、
前記天壁部には、一部が該天壁部に固定された引き下げ可能な蓋用引張部が設けられていることを特徴とする蓋付き容器。
【請求項２】
内容物を収容する容器と、該容器の口部に装着された蓋体と、を備える蓋付き容器であって、
前記容器には、有底筒状の容器用外装体と、該容器用外装体の内側に嵌合されていると共に上端に前記口部が形成された有底筒状の外容器と、該外容器の内側に着脱可能に嵌合されて少なくとも前記外容器の底壁部の上面を覆う内容器と、が備えられ、
前記底壁部には、一部が該底壁部に固定された引き上げ可能な容器用引張部が設けられていることを特徴とする蓋付き容器。
【請求項３】
請求項２に記載の蓋付き容器において、
前記蓋体には、有頂筒状の蓋用外装体と、該蓋用外装体の内側に嵌合されていると共に前記口部に装着された有頂筒状の蓋本体と、該蓋本体の内側に着脱可能に嵌合されて該蓋本体の天壁部と前記口部の端面との間に介在され、少なくとも前記天壁部の下面を覆うパッキンと、が備えられ、
前記天壁部には、一部が該天壁部に固定された引き下げ可能な蓋用引張部が設けられていることを特徴とする蓋付き容器。
【請求項４】
請求項１または３に記載の蓋付き容器において、
前記蓋用引張部は、前記蓋本体の内周面に沿って帯状に延在しており、一端が固定端とされて他端に摘み部が形成されていることを特徴とする蓋付き容器。
【請求項５】
請求項２から４のいずれか一項に記載の蓋付き容器において、
前記容器用引張部は、前記外容器の内周面に沿って帯状に延在しており、一端が固定端とされて他端に摘み部が形成されていることを特徴とする蓋付き容器。
【請求項６】
請求項１又は請求項３から５のいずれか一項に記載の蓋付き容器において、
前記パッキンには、前記口部を閉塞する閉塞板部と、該閉塞板部の外縁から前記蓋本体の周壁部の内周面に沿って垂下された垂板部と、が備えられており、
該垂板部の下端部は、前記周壁部の下端よりも下方に突出されていることを特徴とする蓋付き容器。
【請求項７】
請求項６に記載の蓋付き容器において、
前記垂板部は、前記パッキンの径方向両側にそれぞれ配設されていることを特徴とする蓋付き容器。
【発明の詳細な説明】
【技術分野】
【０００１】
本発明は、例えばクリーム等の内容物を収容する蓋付き容器に関する。
【背景技術】
【０００２】
この種の蓋付き容器として、従来、内容物を収容する容器と、容器の口部に装着される蓋体と、を備えた構成が知られている。上記した容器は、内容器と外容器とを組み合わせた二重容器となっており、蓋体が装着される外容器の内側に、内容物を収容する内容器が嵌合されている。
【０００３】
また、上記した蓋付き容器の蓋体として、従来、例えば特許文献１に示されているように、有頂筒状の外装体と、その外装体の内側に嵌合されている有頂筒状の蓋本体と、蓋本体の内側に着脱可能に嵌合されると共に蓋本体の天壁部と容器の口部の端面との間に介在されて口部を閉塞する板状のパッキンと、を備えた構成が知られている。外装体は、装飾用の部材であり、例えばガラスや金属等からなる非樹脂製部材である。蓋本体は、容器の口部に装着されるキャップであり、例えばポリエチレンやポリプロピレン等の合成樹脂からなる樹脂製部材である。
また、上記した容器として、従来、有底筒状の非樹脂製の外装体の内側に、樹脂製の外容器が嵌合された構成が知られている。
【特許文献１】実開平３−２９４５９号公報
【発明の開示】
【発明が解決しようとする課題】
【０００４】
しかしながら、上記した外装体付きの蓋体を備える従来の蓋付き容器では、外装体の内側に蓋本体が嵌合して固定されているため、外装体が蓋本体から取り外しにくく、蓋体を廃棄する際に、非樹脂製の外装体と樹脂製の蓋本体とを分別するのが煩雑であるという問題が存在する。
また、外装体付きの容器を備える蓋付き容器でも同様であり、外装体の内側に外容器が嵌合して固定されているため、外装体が外容器から取り外しにくく、容器を廃棄する際に、非樹脂製の外装体と樹脂製の外容器とを分別するのが煩雑であるという問題が存在する。
【０００５】
本発明は、上記した従来の問題が考慮されたものであり、蓋本体や外容器に外装された外装体を、その蓋本体や外容器から容易に取り外すことができ、外装体と蓋本体や外容器とを容易に分別することができる蓋付き容器を提供することを目的としている。
【課題を解決するための手段】
【０００６】
本発明に係る蓋付き容器は、内容物を収容する容器と、該容器の口部に装着された蓋体と、を備える蓋付き容器であって、前記蓋体には、有頂筒状の蓋用外装体と、該蓋用外装体の内側に嵌合されていると共に前記口部に装着された有頂筒状の蓋本体と、該蓋本体の内側に着脱可能に嵌合されて該蓋本体の天壁部と前記口部の端面との間に介在され、少なくとも前記天壁部の下面を覆うパッキンと、が備えられ、前記天壁部には、一部が該天壁部に固定された引き下げ可能な蓋用引張部が設けられていることを特徴としている。
【０００７】
このような特徴により、当該蓋付き容器を廃棄する際には、容器の口部から蓋体を取り外した後、まず、蓋本体の内側からパッキンを取り外す。これにより、蓋本体の天壁部に設けられた蓋用引張部が蓋本体の内側に露出される。続いて、その蓋用引張部を指等で摘んで蓋本体（蓋用外装体）の開口端側に向けて引っ張る。このとき、蓋用引張部の一部が蓋本体の天壁部に固定されているので、蓋用引張部と共に蓋本体が引っ張られ、蓋本体が蓋用外装体の内側から引き出される。
【０００８】
また、本発明に係る蓋付き容器は、内容物を収容する容器と、該容器の口部に装着された蓋体と、を備える蓋付き容器であって、前記容器には、有底筒状の容器用外装体と、該容器用外装体の内側に嵌合されていると共に上端に前記口部が形成された有底筒状の外容器と、該外容器の内側に着脱可能に嵌合されて少なくとも前記外容器の底壁部の上面を覆う内容器と、が備えられ、前記底壁部には、一部が該底壁部に固定された引き上げ可能な容器用引張部が設けられていることを特徴としている。
【０００９】
このような特徴により、当該蓋付き容器を廃棄する際には、容器の口部から蓋体を取り外した後、まず、外容器の内側から内容器を取り外す。これにより、外容器の底壁部に設けられた容器用引張部が外容器の内側に露出される。続いて、その容器用引張部を指等で摘んで外容器（容器用外装体）の開口端側に向けて引っ張る。このとき、容器用引張部の一部が外容器の底壁部に固定されているので、容器用引張部と共に外容器が引っ張られ、外容器が容器用外装体の内側から引き出される。
【００１０】
また、本発明に係る蓋付き容器は、上記した２つの発明を組み合わせた構成にすることが好ましい。
すなわち、前記した後者の蓋付き容器において、前記蓋体には、有頂筒状の蓋用外装体と、該蓋用外装体の内側に嵌合されていると共に前記口部に装着された有頂筒状の蓋本体と、該蓋本体の内側に着脱可能に嵌合されて該蓋本体の天壁部と前記口部の端面との間に介在され、少なくとも前記天壁部の下面を覆うパッキンと、が備えられ、前記天壁部には、一部が該天壁部に固定された引き下げ可能な蓋用引張部が設けられていることが好ましい。
これにより、蓋本体が蓋用外装体の内側から引き出され、また、外容器が容器用外装体の内側から引き出される。
【００１１】
また、本発明に係る蓋付き容器は、前記蓋用引張部が、前記蓋本体の内周面に沿って帯状に延在しており、一端が固定端とされて他端に摘み部が形成されていることが好ましい。
また、本発明に係る蓋付き容器は、前記容器用引張部が、前記外容器の内周面に沿って帯状に延在しており、一端が固定端とされて他端に摘み部が形成されていることが好ましい。
これにより、蓋用引張部や容器用引張部の長さ寸法を長く取ることができるので、蓋用引張部や容器用引張部によって外容器や蓋本体を引き出す際、蓋用引張部や容器用引張部が引っ張り易くなる。
【００１２】
また、本発明に係る蓋付き容器は、前記パッキンに、前記口部を閉塞する閉塞板部と、該閉塞板部の外縁から前記蓋本体の周壁部の内周面に沿って垂下された垂板部と、が備えられており、該垂板部の下端部が、前記周壁部の下端よりも下方に突出されていることが好ましい。
これにより、蓋本体の内側からパッキンを取り外す際、垂板部の下端部を指で摘むなどして垂板部を引っ張ることで、パッキンが蓋本体の内側から引き出される。
【００１３】
また、本発明に係る蓋付き容器は、前記垂板部が、前記パッキンの径方向両側にそれぞれ配設されていることが好ましい。
これにより、蓋本体の内側からパッキンを取り外す際、両側の垂板部の下端部を指等で両側から挟み込んで摘み、両側の垂板部をそれぞれ径方向内側に撓ませる。そして、両側の垂板部を挟んだ状態のまま引っ張ることで、パッキンが蓋本体の内側から引き出される。
【発明の効果】
【００１４】
本発明に係る蓋付き容器によれば、蓋用引張部を蓋本体（蓋用外装体）の開口端側に向けて引っ張ることで、蓋本体が蓋用外装体の内側から引き出されるので、蓋用外装体を蓋本体から容易に取り外すことができ、蓋用外装体と蓋本体とを容易に分別することができる。
また、本発明に係る蓋付き容器によれば、容器用引張部を外容器（容器用外装体）の開口端側に向けて引っ張ることで、外容器が容器用外装体の内側から引き出されるので、容器用外装体を外容器から容易に取り外すことができ、容器用外装体と外容器とを容易に分別することができる。
【発明を実施するための最良の形態】
【００１５】
以下、本発明に係る蓋付き容器の実施の形態について、図面に基いて説明する。
図１は本実施の形態における蓋付き容器１の縦断面図であり、図２は後述する外容器５の横断面図であり、図３は後述する蓋体３の横断面図であり、図４は図３に示すＡ−Ａ間の縦断面図である。
なお、図１に示す一点鎖線Ｏは蓋付き容器１の中心軸線を示しており、以下、単に「軸線Ｏ」と記す。また、軸線Ｏが延びた方向を「軸方向」とし、蓋付き容器１の蓋体３側（図１における上方）を「上側」、その反対側（図１における下方）を「下側」とする。また、軸線Ｏに直交する方向を「径方向」とし、軸線Ｏ回りの方向を「周方向」とする。
【００１６】
図１に示すように、蓋付き容器１は、クリーム等の内容物を収容する二重容器であり、内容物を収容する容器２と、容器２の口部５０ａに装着された蓋体３と、を備えている。
【００１７】
容器２は、有底筒状の容器用外装体４と、容器用外装体４の内側に嵌合されている有底筒状の外容器５と、外容器５の内側に着脱可能に嵌合された内容器６と、を備えている。
【００１８】
容器用外装体４は、金属やガラス等からなる非樹脂製の円筒部材であり、例えば金属製の場合にはプレス成形等によって成形される。この容器用外装体４は、円板形状の底壁部４０と、底壁部４０の外縁から立設された円筒形状の周壁部４１と、を備えている。底壁部４０は、軸線Ｏに対して垂直に配設されており、周壁部４１は、軸線Ｏを中心軸線にして軸方向に延設されている。また、周壁部４１の上端は、後述する外容器５の外壁部５４の上端位置まで延在されている。
【００１９】
外容器５は、ポリエチレンやポリプロピレン等の合成樹脂からなる樹脂製の容器であり、例えば射出成形などによって成形される。この外容器５は、筒状の周壁部５０と、周壁部５０の下端に配設された底壁部５１と、を備えている。
【００２０】
周壁部５０は、上部外周面が下部外周面よりも縮径されていると共に下部が二重筒構造になった筒部である。詳しく説明すると、周壁部５０は、軸線Ｏを共通軸にして容器用外装体４の周壁部４１と同軸上に配設された円筒形状の内壁部５２と、内壁部５２の軸方向中間部から径方向外側に向けて突出したフランジ部５３と、フランジ部５３の外端から垂下された円筒形状の外壁部５４と、を備えている。内壁部５２（周壁部５０）の上部には、蓋体３が装着される口部５０ａが形成されている。この口部５０ａの外周面には、雄ねじ５０ｂが形成されており、口部５０ａには蓋体３が螺着されている。フランジ部５３は、口部５０ａの下方に配設されており、軸線Ｏ回りに全周に亘って形成されている。外壁部５４は、軸線Ｏを共通軸にして容器用外装体４の周壁部４１及び内壁部５２と同軸上に配設されている。外壁部５４は容器用外装体４の周壁部４１の内側に嵌合、若しくは外壁部５４の外周面は前記周壁部４１の内周面に接合されている。
【００２１】
底壁部５１は、上記した内壁部５２の下端を閉塞する壁部であり、この底壁部５１の外縁から内壁部５２が立設されている。底壁部５１には、図２に示すように、引き上げ可能な容器用引張部５５が設けられている。容器用引張部５５は、外容器５の周壁部５０（内壁部５２）の内周面に沿って延在する帯状の部材であり、軸線Ｏ回りに延在されている。詳しく説明すると、底壁部５１には、軸線Ｏ回りに延在する円環状の開口５１ａが形成されており、底壁部５１の中央部分には平面視円形状の板部５１ｂが配設されている。そして、この開口５１ａの内側には、開口５１ａに沿って延びた平面視Ｃ字形状の容器用引張部５５が配置されている。容器用引張部５５の一端部には、指等で摘むための摘み部５５ａが形成されている。一方、容器用引張部５５の他端部の外縁及び内縁は、連結部５６を介して開口５１ａの外縁及び内縁にそれぞれ連結されており、容器用引張部５５の他端部は、底壁部５１に固定されている。また、容器用引張部５５は、破断容易な複数のブリッジ５７を介して底壁部５１に連結されている。すなわち、容器用引張部５５の内縁と開口５１ａの内縁、及び、容器用引張部５５の外縁と開口５１ａの外縁は、複数のブリッジ５７を介してそれぞれ連結されている。これら複数のブリッジ５７は、周方向に間隔をあけて配設されている。また、図１、図２に示すように、底壁部５１の中央部分に配設された板部５１ｂと容器用外装体４の底壁部４０との間には、例えば両面テープ等からなる接着部５８が介在されており、この接着部５８によって容器用外装体４と外容器５とが接着されている。
【００２２】
図１に示すように、内容器６は、内容物を収容する容器であり、上端が開放されたカップ状の容器である。内容器６は、ポリエチレンやポリプロピレン等の合成樹脂で形成されている。内容器６は、軸線Ｏを共通軸にして外容器５の周壁部５０と同軸上に配設された円筒形状の周壁部６０と、周壁部６０の下端に配設された底壁部６１と、周壁部６０の上端から径方向外側に向けて突出したフランジ部６２と、を備えている。内容器６の周壁部６０は、外容器５の周壁部５０（内壁部５２）の内側に配設されて周壁部５０の内周面を覆う筒部であり、その上部において外容器５の周壁部５０（内壁部５２）にアンダーカット嵌合されている。底壁部６１は、周壁部６０の下端を閉塞すると共に外容器５の底壁部５１の上面全体を覆う板部であり、底壁部５１の上面に密接されている。フランジ部６２は、外容器５の周壁部５０（内壁部５２）の上端面に沿って折り曲げられていると共に、周壁部５０の上端面に沿って全周に亘って形成されている。
【００２３】
蓋体３は、図１、図３、図４に示すように、有頂筒状の蓋用外装体７と、蓋用外装体７の内側に嵌合された有頂筒状の蓋本体８と、蓋本体８の内側に着脱可能に嵌合されたパッキン９と、を備えている。
【００２４】
蓋用外装体７は、金属やガラス等からなる非樹脂製の円筒部材であり、例えば金属製の場合にはプレス成形等によって成形される。この蓋用外装体７は、円板形状の天壁部７０と、天壁部７０の外縁から垂下された円筒形状の周壁部７１と、を備えている。天壁部７０は、軸線Ｏに対して垂直に配設されており、周壁部７１は、軸線Ｏを中心軸線にして軸方向に延設されている。また、周壁部７１の下端は、後述する蓋本体８の周壁部８１の下端の下方まで延在されている。また、前記周壁部７１は、上述した容器用外装体４の周壁部４１と同径の筒部であり、蓋用外装体７の周壁部７１の外周面は、容器用外装体４の周壁部４１の外周面に対して軸方向に面一に形成されている。
【００２５】
蓋本体８は、容器２（外容器５）の口部５０ａに装着されるキャップであり、ポリエチレンやポリプロピレン等の合成樹脂からなる樹脂製部材であり、例えば射出成形などによって成形される。この蓋本体８は、軸線Ｏに対して垂直に配設された天壁部８０と、天壁部８０の外縁から垂下された周壁部８１と、を備えている。
【００２６】
周壁部８１は、二重構造の筒部である。詳しく説明すると、周壁部８１は、軸線Ｏを共通軸にして蓋用外装体７の周壁部７１及び外容器５の口部５０ａと同軸上に配設された円筒形状の内壁部８２と、内壁部８２の下端部から径方向外側に向けて突出したフランジ部８３と、フランジ部８３の外端から立設された円筒形状の外壁部８４と、を備えている。内壁部８２の内周面には、外容器５の口部５０ａの雄ねじ５０ｂに螺着される雌ねじ８１ａが形成されている。フランジ部８３は、軸線Ｏ回りに全周に亘って形成されている。外壁部８４は、軸線Ｏを共通軸にして蓋用外装体７の周壁部７１及び内壁部８２と同軸上に配設されている。外壁部８４は蓋用外装体７の周壁部７１の内側に嵌合、若しくは外壁部８４の外周面は前記周壁部７１の内周面に接合されている。
【００２７】
また、周壁部８１の内壁部８２には、その内周面から下端面に亘って延在する凹溝８５が形成されている。この凹溝８５は、略Ｌ字状に延在する溝であり、内壁部８２の内周面の上端から下端まで延設された縦凹溝８５Ａと、フランジ部８３の下端面の内縁から外縁まで延設された横凹溝８５Ｂと、からなる。横凹溝８５Ｂは、フランジ部８３の内縁から径方向外側に向かうに従い漸次深く形成されており、その底面８５ａは、フランジ部８３の内縁から径方向外側に向かって上向きに傾斜されている。また、上記凹溝８５は、周壁部８１の径方向両側にそれぞれ形成されており、両側の凹溝８５は、軸線Ｏを挟んで左右対称に形成されている。
【００２８】
天壁部８０は上記した内壁部８２の上端を閉塞する壁部であり、この天壁部８０の外縁から内壁部８２が垂下されている。上記した天壁部８０には、引き下げ可能な蓋用引張部８６が設けられている。蓋用引張部８６は、蓋本体８の周壁部８１（内壁部８２）の内周面に沿って延在する帯状の部材であり、軸線Ｏ回りに延在されている。詳しく説明すると、天壁部８０には、軸線Ｏ回りに延在する円環状の開口８０ａが形成されており、天壁部８０の中央部分には平面視円形状の板部８０ｂが配設されている。そして、この開口８０ａの内側には、開口８０ａに沿って延びた平面視Ｃ字形状の蓋用引張部８６が配置されている。蓋用引張部８６の一端部には、指等で摘むための摘み部８６ａが形成されている。一方、蓋用引張部８６の他端部の外縁及び内縁は、連結部８７を介して開口８０ａの外縁及び内縁にそれぞれ連結されており、蓋用引張部８６の他端部は、天壁部８０に固定されている。また、蓋用引張部８６は、破断容易な複数のブリッジ８８を介して天壁部８０に連結されている。すなわち、蓋用引張部８６の内縁と開口８０ａの内縁、及び、蓋用引張部８６の外縁と開口８０ａの外縁は、複数のブリッジ８８を介してそれぞれ連結されている。これら複数のブリッジ８８は、周方向に間隔をあけて配設されている。また、天壁部８０の中央部分に配設された板部８０ｂと蓋用外装体７の天壁部７０との間には、例えば両面テープ等からなる接着部８９が介在されており、この接着部８９によって蓋用外装体７と蓋本体８とが接着されている。また、板部８０ｂの下面には、パッキン９に係止されてパッキン９を支持する係止筒部８０ｃが垂下されている。
【００２９】
パッキン９は、蓋本体８の天壁部８０と外容器５の口部５０ａの上端面との間の隙間をシールするシール部材であり、弾性変形可能な合成樹脂などによって形成されている。詳しく説明すると、パッキン９は、軸線Ｏに対して垂直に配設されて口部５０ａを閉塞する平面視円形の閉塞板部９０と、閉塞板部９０の外縁から垂下された垂板部９１と、を備えている。
【００３０】
閉塞板部９０は、蓋用外装体７の天壁部７０の下面全体を覆うと共に口部５０ａの開口端を閉塞する板部であり、蓋本体８の天壁部８０と外容器５の口部５０ａの上端面との間に介在されている。この閉塞板部９０の外周部の上面には、後述するＯリング１０を保持するための筒状の立上げ部９０ａが立設されている。この立上げ部９０ａは、軸線Ｏを中心軸線にして軸方向に延設された円筒形状の壁部であり、その外径が閉塞板部９０の外径よりも小さく、閉塞板部９０の外縁よりも径方向内側に配設されている。また、閉塞板部９０の中央部の上面には、蓋本体８に係止される係止筒部９０ｂが形成されている。この係止筒部９０ｂは、上記した蓋本体８の係止筒部８０ｃの内側に挿入されるとともにその係止筒部８０ｃにアンダーカット嵌合されている。
【００３１】
垂板部９１は、蓋本体８の周壁部８１の内周面に沿って延設された帯状の部材である。この垂板部９１は、閉塞板部９０の径方向両側にそれぞれ配設されており、両側の垂板部９１は、軸線Ｏを挟んで左右対称に配設されている。そして、これらの垂板部９１は、上記した蓋本体８の周壁部８１の内壁部８２に形成された凹溝８５（縦凹溝８５Ａ）にそれぞれ嵌め込まれている。垂板部９１の下端部は、蓋本体８の周壁部８１の下端（フランジ部８３の下面）よりも下方に突出されている。また、垂板部９１の下端部には、径方向外側に向けて突出した横板部９２が突設されている。この横板部９２は、横凹溝８５Ｂに嵌め込まれる板部であり、横板部９２の上面は、横凹溝８５Ｂの底面８５ａに沿って傾斜されている。すなわち、横板部９２の上面は、垂板部９１側から先端側に向かって上向きに傾斜されている。
【００３２】
また、上記した蓋用外装体７の天壁部７０とパッキン９の閉塞板部９０との間には、Ｏリング１０が介在されている。Ｏリング１０は、蓋用外装体７とパッキン９との間の衝撃を緩和する緩衝材であり、弾性変形可能な弾性部材によって形成されている。このＯリング１０は、上記した閉塞板部９０の立上げ部９０ａの径方向外側に嵌合されており、閉塞板部９０の外周部と天壁部７０の外周部との間に介在されている。
【００３３】
次に、上記した構成の蓋付き容器１の作用について説明する。
【００３４】
当該蓋付き容器１を廃棄する際には、樹脂製の部材（外容器５、内容器６、蓋本体８及びパッキン９）と金属製の部材（容器用外装体４及び蓋用外装体７）とに分別する必要がある。
そこで、まず、容器２の口部５０ａから蓋体３を取り外す。すなわち、容器２と蓋体３とを軸線Ｏ回りに相対的に回転させる。これにより、口部５０ａに螺着された蓋体３が緩められ、蓋体３が容器２の口部５０ａから外される。
【００３５】
次に、容器２については、まず、外容器５の内側から内容器６を取り外す。すなわち、内容器６のフランジ部６２に指等で摘み上げて引き上げる。これにより、外容器５の内壁部５２と内容器６の周壁部６０とのアンダーカット嵌合が外され、外容器５の内側から内容器６が引き抜かれる。そして、外容器５の底壁部５１に設けられた容器用引張部５５が外容器５の内側に露出される。
【００３６】
続いて、容器用引張部５５を指等で摘んで外容器５の開口端側に向けて引っ張る。詳しく説明すると、容器用引張部５５の摘み部５５ａを指等で摘んで引き上げる。これにより、ブリッジ５７が容器用引張部５５の一端側（摘み部５５ａ側）から順次破断され、容器用引張部５５が底壁部５１から切り離されていく。ただし、容器用引張部５５の他端が連結部５６を介して底壁部５１に固定されているので、容器用引張部５５は、他端（固定端）を下にして軸方向に延びた状態となる。このとき、容器用引張部５５は外容器５（内壁部５２）の内周面に沿って帯状に延在されており、容器用引張部５５の長さが相当に長くなっているので、摘み部５５ａは外容器５の開口端付近又は開口端よりも上方に配置される。続いて、容器用引張部５５をそのまま引き上げると、容器用引張部５５の他端が底壁部５１に固定されているので、容器用引張部５５と共に外容器５が上方に引っ張られる。これにより、接着部５８が外容器５の底壁部５１（板部５１ｂ）又は容器用外装体４の底壁部４０から剥がされ、外容器５が容器用外装体４の内側から引き出される。このとき、上述したように、摘み部５５ａが外容器５の開口端付近又は開口端よりも上方に配置されているので、容器用引張部５５は引き上げやすく、外容器５が容器用外装体４の内側から容易に引き出される。
以上により、容器２は、容器用外装体４と外容器５と内容器６とに分解される。
【００３７】
一方、蓋体３については、まず、蓋本体８の内側からパッキン９を取り外す。詳しく説明すると、パッキン９の両側の垂板部９１の下端部を指等で両側から挟み込んで、両側の垂板部９１を径方向内側に向けてそれぞれ撓ませると共に、垂板部９１をそのまま蓋本体８の開口端側（下方）に向けて引っ張る。これにより、蓋本体８の係止筒部８０ｃとパッキン９の係止筒部９０ｂとのアンダーカット嵌合が外れ、蓋本体８の内側からパッキン９が引き出される。そして、蓋本体８の天壁部８０に設けられた蓋用引張部８６が蓋本体８の内側に露出される。なお、垂板部９１の下端部が周壁部８１の下端面よりも下方に突出されているので、垂板部９１の下端部に指等が掛けやすく、両側の垂板部９１が指等で容易に挟み込まれる。また、垂板部９１に突設された横板部９２が垂板部９１と共に径方向内側に移動するが、横凹溝８５Ｂの底面８５ａがフランジ部８３の内縁から径方向外側に向かって上向きに傾斜されているので、横板部９２と横凹溝８５Ｂの底面８５ａとの干渉が抑えられ、両側の垂板部９１は径方向内側に向けてスムーズに撓み変形される。
【００３８】
続いて、蓋用引張部８６を指等で摘んで蓋本体８の開口端側に向けて引っ張る。詳しく説明すると、蓋用引張部８６の摘み部８６ａを指等で摘んで引き下げる。これにより、ブリッジ８８が蓋用引張部８６の一端側（摘み部８６ａ側）から順次破断され、蓋用引張部８６が天壁部８０から切り離されていく。ただし、蓋用引張部８６の他端が連結部８７を介して天壁部８０に固定されているので、蓋用引張部８６は、他端（固定端）を上にして軸方向に延びた状態となる。このとき、蓋用引張部８６は蓋本体８（周壁部８１）の内周面に沿って帯状に延在されており、蓋用引張部８６の長さが相当に長くなっているので、摘み部８６ａは蓋本体８の開口端付近又は開口端よりも下方に配置される。続いて、蓋用引張部８６をそのまま引き下げると、蓋用引張部８６の他端が天壁部８０に固定されているので、蓋用引張部８６と共に蓋本体８が下方に引っ張られる。これにより、接着部８９が蓋本体８の天壁部８０（板部８０ｂ）又は蓋用外装体７の天壁部７０から剥がされ、蓋本体８が蓋用外装体７の内側から引き出される。このとき、上述したように、摘み部８６ａが蓋本体８の開口端付近又は開口端よりも下方に配置されているので、蓋用引張部８６は引き下げやすく、蓋本体８が蓋用外装体７の内側から容易に引き出される。
以上により、蓋体３は、蓋用外装体７と蓋本体８とパッキン９とに分解される。
【００３９】
上記した構成からなる蓋付き容器１によれば、容器用引張部５５を外容器５（容器用外装体４）の開口端側に向けて引っ張ることで、外容器５が容器用外装体４の内側から引き出されるので、容器用外装体４を外容器５から容易に取り外すことができ、容器用外装体４と外容器５とを容易に分別することができる。
【００４０】
また、上記した構成からなる蓋付き容器１によれば、蓋用引張部８６を蓋本体８（蓋用外装体７）の開口端側に向けて引っ張ることで、蓋本体８が蓋用外装体７の内側から引き出されるので、蓋用外装体７を蓋本体８から容易に取り外すことができ、蓋用外装体７と蓋本体８とを容易に分別することができる。
【００４１】
また、上記した構成からなる蓋付き容器１によれば、容器用引張部５５が外容器５の内周面に沿って帯状に延在されて相当な長さを有しており、容器用引張部５５によって容器用外装体４の内側から外容器５を引き出す際に容器用引張部５５が引っ張りやすいため、容器用外装体４を外容器５から特に容易に取り外すことができ、容器用外装体４と外容器５との分別を容易に行うことができる。
【００４２】
また、上記した構成からなる蓋付き容器１によれば、蓋用引張部８６が蓋本体８の内周面に沿って帯状に延在されて相当な長さを有しており、蓋用引張部８６によって蓋用外装体７の内側から蓋本体８を引き出す際に蓋用引張部８６が引っ張りやすいため、蓋用外装体７を蓋本体８から特に容易に取り外すことができ、蓋用外装体７と蓋本体８との分別を容易に行うことができる。
【００４３】
また、上記した構成からなる蓋付き容器１によれば、パッキン９に、下端部が蓋本体８の周壁部８１よりも下方に突出された垂板部９１が備えられおり、この垂板部９１を引っ張ることで、パッキン９が蓋本体８から引き出されるので、蓋本体８からパッキン９を容易に取り外すことができ、蓋用引張部８６を容易に露出させることができる。
【００４４】
また、上記した構成からなる蓋付き容器１によれば、上記した垂板部９１が径方向両側にそれぞれ配設されており、蓋本体８の内側からパッキン９を取り外す際、両側の垂板部９１の下端部を両側から挟み込んでそのまま引っ張り出すことで、パッキン９が蓋本体８の内側から引き出されるので、蓋本体８からパッキン９を特に容易に取り外すことができ、蓋用引張部８６を容易に露出させることができる。
【００４５】
以上、本発明に係る蓋付き容器の実施の形態について説明したが、本発明は上記した実施の形態に限定されるものではなく、その趣旨を逸脱しない範囲で適宜変更可能である。
例えば、上記した実施の形態では、容器２の口部５０ａの外周面に雄ねじ５０ｂが形成されていると共に蓋体３の蓋本体８の内周面に雌ねじ８１ａが形成されており、容器２の口部５０ａに蓋体３が螺着されているが、本発明は、ねじ構造以外の構成で容器２の口部５０ａに蓋体３が装着されていてもよい。
【００４６】
また、上記した実施の形態では、外容器５の周壁部５０の下部、及び蓋本体８の周壁部８１が二重筒構造になっているが、本発明は、周壁部５０の下部や蓋本体８の周壁部８１が二重筒になっていなくてもよい。例えば、外容器５のフランジ部５３や外壁部５４が省略され、内壁部５２の下部（口部５０ａよりも下側の部分）が口部５０ａよりも厚肉に形成された構成であってもよく、また、蓋本体８のフランジ部８３や外壁部８４が省略された構成であってもよい。
【００４７】
また、上記した実施の形態では、外容器５の底壁部５１に容器用引張部５５が設けられていると共に、蓋本体８の天壁部８０に蓋用引張部８６が設けられているが、本発明は、容器及び蓋体のうちのいずれか一方のみが、容器用引張部５を有する本発明の容器や、蓋用引張部を有する本発明の蓋体であり、他方が本発明以外の構成の蓋体や容器であってもよい。
例えば、周知の容器に上記した本実施の形態における蓋体３を装着させた構成であってもよい。すなわち、容器の外容器の底壁部に容器用引張部が設けられていなくてもよく、また、容器が二重容器になっていなくてもよく、また、容器の外側が容器用外装体で覆われていなくてもよい。つまり、上記した実施の形態における内容器６や容器用外装体４、容器用引張部５５等を適宜省略した構成であってもよい。
また、上記した実施の形態における容器２に周知の蓋体を装着させた構成であってもよい。すなわち、蓋体の蓋本体の天壁部に蓋用引張部が設けられていなくてもよく、また、蓋本体の内側にパッキンが嵌合されていなくてもよく、また、蓋体の外側が蓋用引張部で覆われていなくてもよい。つまり、上記した実施の形態におけるパッキン９や蓋用外装体７、蓋用引張部８６等を適宜省略した構成であってもよい。さらに、この場合、蓋体は、容器の口部に螺着されるキャップ状の蓋体でなくてもよく、容器にヒンジを介して連結されてこのヒンジ回りに回転して開閉される蓋体であってもよい。
【００４８】
また、上記した実施の形態では、容器用引張部５５や蓋用引張部８６が外容器５の内周面や蓋本体８の内周面に沿って延在する帯状の部材となっているが、本発明は、容器用引張部や蓋用引張部が外容器の内周面や蓋本体の内周面に沿って延在していない構成にすることも可能である。例えば、容器用引張部や蓋用引張部が径方向に延在していてもよい。
また、本発明は、帯状以外の形状の容器用引張部や蓋用引張部帯状が設けられた構成にすることも可能である。例えば、平面視三角形状や矩形状の容器用引張部や蓋用引張部が設けられていてもよい。
【００４９】
また、上記した実施の形態では、外容器５の底壁部５１に形成された開口５１ａの内側に容器用引張部５５が配置されており、また、蓋本体８の天壁部８０に形成された開口８０ａの内側に蓋用引張部８６が配置されているが、本発明は、外容器５の底壁部５１や蓋本体８の天壁部８０に開口５１ａ，８０ａが形成されていなくてもよい。例えば、外容器５の底壁部５１の上面に容器用引張部が配設されていてもよく、或いは、蓋本体８の天壁部８０の下面に蓋用引張部が配設されていてもよい。
【００５０】
また、上記した実施の形態では、蓋本体８の天壁部８０と蓋用外装体７の天壁部７０とが接着部８９を介して接着されており、外容器５の底壁部５１と容器用外装体４の底壁部４０とが接着部５８を介して接着されているが、本発明は、上記した２つの接着部５８，８９のうちの少なくとも一方が省略された構成であってもよく、蓋本体８の天壁部８０と蓋用外装体７の天壁部７０とが接着されてなくてもよく、或いは、外容器５の底壁部５１と容器用外装体４の底壁部４０とが接着されていなくてもよい。
また、内容器６のフランジ部６２を、外容器５の周壁部５０の上端面から径方向外側に突出させてもよい。この場合、外容器５の内側から内容器６を容易に取り外すことができる。
また、内容器６は金属で形成してもよい。
【００５１】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００５２】
【図１】本発明の実施の形態を説明するための蓋付き容器の縦断面図である。
【図２】本発明の実施の形態を説明するための外容器の横断面図である。
【図３】本発明の実施の形態を説明するための蓋体の横断面図である。
【図４】図３に示すＡ−Ａ間の縦断面図である。
【符号の説明】
【００５３】
１  蓋付き容器
２  容器
３  蓋体
４  容器用外装体
５  外容器
６  内容器
７  蓋用外装体
８  蓋本体
９  パッキン
５０ａ  口部
５１  底壁部
５５  容器用引張部
５５ａ  摘み部
８０  天壁部
８６  蓋用引張部
８６ａ  摘み部
９０  閉塞板部
９１  垂板部
【図１】
2010083542.tif 000003
【図２】
2010083542.tif 000004
【図３】
2010083542.tif 000005
【図４】
2010083542.tif 000006